(57)【要約】【課題】紙粉除去のために紙シート引き出し開始を遅らせる必要なく、簡単、確実、安価に紙シート側端面の紙粉を除去できるシート収納トレイ及びこれを利用した、紙粉に起因するシートサイズメモリ等の画像ノイズが抑制された画像を形成できる画像形成装置を提供する。【解決手段】紙シートＳの引き出し方向αを横切るシート幅方向βにおけるシート両側端位置を決めるための側端位置決め部材１２４と、各側端位置決め部材１２４に対して設けられた紙粉除去装置２を含んでおり、各紙粉除去装置２は、紙シート側端面Ｓａを擦るための回転ブラシ２１と、少なくとも紙シートＳが引き出されている間、回転ブラシ２１を回転させるブラシ駆動部（モータｍ、制御部Ｃ）を含んでいるシート収納トレイ１２０。これを利用した画像形成装置１０．【選択図】図１
2012224407.tif 000002
【特許請求の範囲】
【請求項１】
紙シートを積載収容して最上部の紙シートから予め定めた方向へ引き出し、供給するためのシート収納トレイであり、
前記紙シートの前記引き出し方向を横切るシート幅方向におけるシート両側端位置をそれぞれ決めるための側端位置決め部材と、
前記各側端位置決め部材について設けられた紙粉除去装置を含んでおり、
前記各紙粉除去装置は、前記積載収容される紙シートの側端面を該側端面に接触して擦るための、前記側端位置決め部材に回転可能に搭載された回転ブラシと、少なくとも前記紙シートが引き出されている間、前記回転ブラシを回転させるブラシ駆動部を含んでいることを特徴とするシート収納トレイ。
【請求項２】
前記回転ブラシの回転軸は前記紙シート引き出し方向を上下に横切る方向に延びており、
前記ブラシ駆動部は前記回転ブラシを前記紙シート引き出しの速度とは異なる周速度で回転駆動する請求項１記載のシート収納トレイ。
【請求項３】
前記回転ブラシの回転軸は前記紙シート引き出し方向を上下に横切る方向に延びており、
前記回転ブラシのブラシ毛は前記積載収容されるシートの側端面を前記紙シート引き出し方向を上下に斜めに横切る方向に擦るように前記回転軸に対して螺旋状に配列されている請求項１又は２記載のシート収納トレイ。
【請求項４】
前記回転ブラシの回転軸は前記紙シート引き出し方向を上下に横切る方向に、且つ、前記積載収容されるシートの側端に上下垂直な方向に対して傾斜するように延びている請求項１又は２記載のシート収納トレイ。
【請求項５】
前記回転ブラシの回転軸は、該回転ブラシのブラシ毛の前記積載収容される紙シート群への食い込み量が回転ブラシ下部から上部へ向かうにつれ増すように傾斜配置されている請求項１から４のいずれか１項に記載のシート収納トレイ。
【請求項６】
前記紙粉除去装置は、前記回転ブラシの下方に配置されて前記側端側端位置決め部材に支持された紙粉受け容器を含んでいる請求項１から５のいずれか１項に記載のシート収容トレイ。
【請求項７】
前記回転ブラシのブラシ毛は前記側端側端位置決め部材に形成された開口部から前記前記積載収容されるシートの側端面に接触可能である請求項１から６のいずれか１項に記載のシート収容トレイ。
【請求項８】
シート収納トレイに積載収容された紙シート群から紙シートを引き出して画像形成部に通すことで該紙シートに画像形成できる画像形成装置であり、前記シート収納トレイとして請求項１から７のいずれか１項に記載のシート収納トレイを採用している画像形成装置。
【発明の詳細な説明】
【技術分野】
【０００１】
本発明は紙シートを積載収容して最上部の紙シートから予め定めた方向へ引き出し、供給するためのシート収納トレイ及びそのようなシート収納トレイを採用した画像形成装置
に関する。
【背景技術】
【０００２】
紙シートを積載収容して最上部の紙シートから予め定めた方向へ引き出し、供給するためのシート収納トレイは様々の分野で利用されている。例えば、シート収納トレイに積載収容された紙シート群から紙シートを引き出して画像形成部を通る画像形成パスに通過させることで該紙シートに画像形成することができる、複写機、プリンタ、ファクシミリ機、これらのうち２以上を組み合わせた複合機等の画像形成装置において広く利用されている。
【０００３】
上記のタイプのシート収納トレイに積載収容される紙シートの種類、すなわち上質のものか、普通程度の質のものか、厚手のものか、薄手のものか等は、紙シートの用途に応じて様々である。
【０００４】
例えば、画像形成装置において記録紙として用いられる紙シートを紙質の点からみると、
一般的には、画像形成に格別支障がない紙質の紙シート（以下、「普通紙」と称する）が用いられることが多い。
【０００５】
しかし、コストダウンの観点から普通紙と比べると低品質の、いわゆる酸性紙等の紙シートが使われることもある。特に近年、発展途上の地域においても画像形成装置が広く使用されるようになってきたことにともない、そのような地域ではコストダウンの観点から前記普通紙と比べると低品質の安価な紙シートが使われることが多い。
【０００６】
このような安価な紙シートは、一般に、シートに含まれるタルクに起因する紙粉が発生し易い。例えば電子写真方式の画像形成装置において紙粉が発生し易い紙シートを用いて画像形成すると、紙シートが接触する感光体等の像担持体や、感光体等からトナー像が転写される中間転写体などに紙粉が付着し、通常採用されている像担持体や中間転写体のクリーニング装置ではそのような紙粉を除去しきれず、残留紙粉が次の画像形成時に前回画像形成時のメモリとして現れて画像品質を低下させることがある。
【０００７】
今日では、記録用の紙シートには、Ａ３、Ａ４、Ｂ５、Ｂ４等のサイズにカットされた所謂カット紙が採用されるのが一般的であるが、カット紙は特にそのカット面（紙シートのカットされた端面）から紙粉が取れやすく、例えばＡ４紙シートへの画像形成の後にＡ３紙シートへ画像形成すると、Ａ４紙シートのサイズメモリーが発生する、といった事態が発生することがある。
【０００８】
紙シートから紙粉を除去する技術としては、画像形成装置において紙シートを供給するシート収納トレイからトナー像転写部位へ至る間の紙シート搬送経路における搬送ローラに紙粉除去部材を設け、該紙粉除去部材で搬送ローラを摩擦帯電させ、摩擦帯電させた搬送ローラに静電気力で紙粉を吸着する手法が知られている。
【０００９】
また、特開平５−１３９５５８号公報には、紙シート収容トレイに積載収容される紙シートの端面を紙シート供給に先立って回転ブラシで擦るとともに紙シートに振動を与えて、或いは紙シートに空気を吹き付けて紙粉を除去し、遊離した紙粉を回収することが記載されている。
【先行技術文献】
【特許文献】
【００１０】
【特許文献１】特開平５−１３９５５８号公報
【発明の概要】
【発明が解決しようとする課題】
【００１１】
しかしながら、紙シート搬送経路における搬送ローラに紙粉除去部材を設け、該紙粉除去部材で搬送ローラを摩擦帯電させ、摩擦帯電させた搬送ローラに静電気力で紙粉を吸着する手法では、カット紙のカット端面の紙粉を除去することはできない。
【００１２】
特開平５−１３９５５８号公報記載の紙粉除去手法によると、トレイに収容された紙シートを振動させる手段や該紙シートに空気を吹き付ける手段が必要となり、トレイ周辺構造が大型化し、コスト高となる。また、紙シートをトレイにセットした後、画像形成のためにトレイから紙シートを引き出す前に紙粉除去操作を実施しなければならず、その分画像形成開始が遅れ、ユーザにとって使い勝手が悪い。
【００１３】
そこで本発明は、紙シートを積載収容して最上部の紙シートから予め定めた方向へ引き出し、供給するためのシート収納トレイであって、積載収容される紙シートの側端面の紙粉を、紙粉除去のために紙シート引き出し開始を遅らせる必要なく、簡単、確実、安価に除去できるシート収納トレイを提供することを第１の課題とする。
【００１４】
また、本発明は、シート収納トレイに積載収容された紙シート群から紙シートを引き出して画像形成部に通すことで該紙シートに画像形成できる画像形成装置であって、シート収納トレイに積載収容される紙シートの側端面の紙粉を簡単、確実に除去でき、それにより紙粉に起因するシートサイズメモリ等の画像ノイズが抑制された画像を形成することができる画像形成装置を提供することを第２の課題とする。
【課題を解決するための手段】
【００１５】
本発明は前記第１の課題を解決するため、
紙シートを積載収容して最上部の紙シートから予め定めた方向へ引き出し、供給するためのシート収納トレイであり、
前記紙シートの前記引き出し方向を横切るシート幅方向におけるシート両側端位置をそれぞれ決めるための側端位置決め部材と、
前記各側端位置決め部材について設けられた紙粉除去装置を含んでおり、
前記各紙粉除去装置は、前記積載収容される紙シートの側端面を該側端面に接触して擦るための、前記側端位置決め部材に回転可能に搭載された回転ブラシと、少なくとも前記紙シートが引き出されている間、前記回転ブラシを回転させるブラシ駆動部を含んでいるシート収納トレイを提供する。
【００１６】
また本発明は前記第２の課題を解決するため、
シート収納トレイに積載収容された紙シート群から紙シートを引き出して画像形成部に通すことで該紙シートに画像形成できる画像形成装置であり、前記シート収納トレイとして本発明に係るシート収納トレイを採用している画像形成装置を提供する。
【００１７】
本発明に係るシート収納トレイは、紙シートを積載収容して最上部のものから予め定めた方向へ引き出し、供給することに用いることができる。
積載収容される紙シートはその両側端の位置が、正規のシート引き出し経路に沿った円滑な紙シート引き出しのために、前記側端位置決め部材により決めされることができる。
【００１８】
各側端位置決め部材に対して紙粉除去装置が設けられており、該紙粉除去装置の回転ブラシが該側端位置決め部材にて位置決めされた紙シート群の側端面に接触配置される。ブラシ駆動部は少なくとも紙シートが引き出されている間前記回転ブラシを回転させる。
【００１９】
前記回転ブラシが紙シートの引き出しに呼応して回転することで、引き出されつつある紙シートの側端面がシート引き出し方向の全長にわたり回転ブラシで擦られ、かくして簡単、確実に紙シート側端面の紙粉を回転ブラシで除去することができる。
【００２０】
この紙シート側端面の紙粉除去にあたり、シート振動手段で紙シートを振動させたり、空気吹き付け手段で紙シートに空気を吹き付けたりする必要はないので、シート収納トレイ、或いはその周辺を含めた部分を大型化や、コスト高にしなくて済む。
【００２１】
また、紙シート側端面の紙粉除去にあたり、紙粉除去が終了するまで紙シート引き出し開始を待たなければならないというわけではないので、紙粉除去のためにトレイの使い勝手が悪くなることはない。
【００２２】
本発明に係る画像形成装置は、本発明に係るシート収納トレイを採用しているので、該シート収納トレイに積載収容される紙シートの側端面の紙粉を簡単、確実に除去でき、それにより紙粉に起因するシートサイズメモリ等の画像ノイズが抑制された画像を形成することができる。
【００２３】
前記回転ブラシの回転軸の方向、換言すれば、回転ブラシの回転軸の回転中心線の方向は様々選択できるが、シート引き出しをできるだけ妨げないように回転ブラシを配置し、回転させる等の観点から、前記紙シート引き出し方向を上下方向に横切る方向を挙げることができる。ここで、「紙シート引き出し方向を上下方向に横切る方向」には紙シート引き出し方向を上下垂直方向に横切る方向の場合も、該上下垂直方向に対して傾斜した方向の場合も含まれる。
【００２４】
このように前記回転ブラシの回転軸が紙シート引き出し方向を上下に横切る方向に延びている場合、紙シート側端面の紙粉除去のために、前記ブラシ駆動部として、前記回転ブラシを前記紙シート引き出しの速度とは異なる周速度で回転駆動するものを例示できる。
【００２５】
ここで「回転ブラシ周速度が紙シート引き出し速度とは異なる」場合として、回転ブラシと紙シート側端面との相互接触部において回転ブラシのブラシ毛の移動方向と紙シート側端面の移動方向が、（１）互いに反対方向である場合、（２）同じ方向であるが移動速度に差がある場合を挙げることができる。要するに、回転ブラシと紙シート側端面との相互接触部においてブラシ毛と紙シート側端との間に相対速度差がある場合である。紙シート引き出しをできるだけ円滑化させるために、該（２）のように、「同じ方向であるが移動速度に差がある」ようにしてもよい。
【００２６】
また、前記回転ブラシの回転軸が前記紙シート引き出し方向を上下に横切る方向に延びている場合、紙シート側端面の紙粉を十分除去するために、前記回転ブラシのブラシ毛は前記積載収容されるシートの側端面を前記紙シート引き出し方向を上下に斜めに横切る方向に擦るように前記回転軸に対して螺旋状に配列されていてもよい。
【００２７】
ここで「回転ブラシのブラシ毛が回転軸に対して螺旋状に配列されている」には、文字通り、ブラシ毛が回転軸に対して螺旋状に配列されている場合のほか、ブラシ毛が回転軸に複数段に配列されており、かつ、各段のブラシ毛が回転軸の回転中心線に対して傾斜した円板様に配置されているような場合も含まれる。
【００２８】
また、前記回転ブラシの回転軸が前記紙シート引き出し方向を上下に横切る方向に延びている場合、紙シート側端面の紙粉を十分除去するために、該回転軸が前記積載収容されるシートの側端に上下垂直な方向に対して傾斜するように延びている場合も例示できる。この場合、ブラシ毛の配列については、ブラシ毛が回転軸に複数段に配列されており、かつ、各段のブラシ毛が回転軸の回転中心と同心の円板様に配列されているようなものでもよい。
【００２９】
また、引き出されようとする紙シートの側端面の紙粉をより確実に除去するために、前記回転ブラシの回転軸は、該回転ブラシのブラシ毛の前記積載収容される紙シート群への食い込み量が回転ブラシ下部から上部へ向かうにつれ増すように傾斜配置されていてもよい。
【００３０】
前記紙粉除去装置は、前記回転ブラシの下方に配置されて前記側端側端位置決め部材に支持された紙粉受け容器を含んでいてもよい。
【００３１】
前記回転ブラシのブラシ毛は前記側端側端位置決め部材に形成された開口部から前記前記積載収容されるシートの側端面に接触可能であってもよい。
【００３２】
なお、本発明に係るシート収納トレイは、紙シートの紙粉の除去、特に紙シート側端面の紙粉の除去が求められる各種分野で利用できる。
【発明の効果】
【００３３】
以上説明したように本発明によると、紙シートを積載収容して最上部の紙シートから予め定めた方向へ引き出し、供給するためのシート収納トレイであって、積載収容される紙シートの側端面の紙粉を、紙粉除去のために紙シート引き出し開始を遅らせる必要なく、簡単、確実、安価に除去できるシート収納トレイを提供することができる。
【００３４】
また、本発明によると、シート収納トレイに積載収容された紙シート群から紙シートを引き出して画像形成部に通すことで該紙シートに画像形成できる画像形成装置であって、シート収納トレイに積載収容される紙シートの側端面の紙粉を簡単、確実に除去でき、それにより紙粉に起因するシートサイズメモリ等の画像ノイズが抑制された画像を形成することができる画像形成装置を提供できる。
【図面の簡単な説明】
【００３５】
【図１】本発明に係る画像形成装置の１例の構成の概略を示す図である。
【図２】本発明に係るシート収納トレイの１例の概略断面図である。
【図３】図２のシート収納トレイの平面図である。
【図４】トレイに積載収容された紙シートとその側端面を擦る回転ブラシの１例の側面図である。
【図５】図４に示されるトレイに積載収容された紙シートとその側端面を擦る回転ブラシの平面図である。
【図６】トレイに積載収容されたシートとその側端面を擦る回転ブラシの他の例を示す側面図である。
【図７】トレイに積載収容されたシートとその側端面を擦る回転ブラシのさらに他の例を示す側面図である。
【図８】トレイに積載収容されたシートとその側端面を擦る回転ブラシのさらに他の例を示す側面図である。
【発明を実施するための形態】
【００３６】
図１に本発明に係る画像形成装置の１例であるタンデム型カラープンタを示す。
なお、本発明に係る画像形成装置はタンデム型カラープリンタに限定されるものではない。本発明は所謂サイクル型（例えば４サイクル型）カラー画像形成装置、モノクロ画像形成装置にも適用でき、プリンタのほか、複写機、ファクシミリ機、これらのうち２以上を組み合わせた複合機等にも適用できる。また、本発明は電子写真方式、静電記録方式、インクプリント方式等の各種画像形成方式の画像形成装置に適用できる。
【００３７】
図１に示すプリンタ１０は、画像形成部１１、画像形成部下方の紙シート供給部１２、画像形成パス１３を有している。画像形成部１１は図示省略のベルト駆動部により回転駆動される駆動ローラｄ１と対向ローラｄ２に巻き掛けられて図中反時計方向ＣＣＷに回転駆動可能の中間転写ベルト１１１を含んでおり、該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【００３８】
各色担当の画像形成ユニットは、図示省略の画像読み取り装置からの画像情報や、図示省略の外部コンピュータや外部ファクシミリ機等から送信されてくる画像情報に基づいて、電子写真方式により感光体ＰＣ上に担当色画像に対応する静電潜像を形成し、該潜像を担当色トナーで現像してトナー像を形成し、これを図示省略の電源から１次転写バイアスが印加される１次転写ローラｔｒでベルト１１１上に１次転写することができる。
【００３９】
画像形成ユニットを用いて画像形成するにあたっては、四つの画像形成ユニットのうちいずれか一つを用いてモノクロトナー像を形成することもできるし、二つ以上の画像形成ユニットを用いてカラー画像を形成することもできる。二つ以上の画像形成ユニットを用いる場合には、それら画像形成ユニットで形成される各色トナー像はベルト１１１上で重ねられるタイミングでベルト１１１に１次転写される。
【００４０】
画像形成部１１はさらに、中間転写ベルト１１１の回転方向においてブラック画像形成ユニットＫの下流側で該ベルトに臨む２次転写ローラ１１２及びその上方に配置された定着装置１１３も含んでいる。
【００４１】
前記のようにベルト１１１上に１次転写されるトナー像は、図示省略の電源から２次転写バイアスが印加される２次転写ローラ１１２により、画像形成パス１３に沿って搬送されてくる記録用の紙シートＳに２次転写される。
【００４２】
画像形成すべき紙シートは次に説明する紙シート供給部１２から供給される。紙シート供給部１２から供給されてくる紙シートは画像形成パス１３の入口に位置するレジストローラ１３１に突き当てられて一旦停止され、画像形成部１１において紙シートの所定位置に画像形成が可能になるタイミングでレジストローラ１３１により画像形成パス１３へ送り込まれる。
【００４３】
このようにして紙シートに２次転写されたトナー像は、定着装置１１３により加熱加圧下に定着され、紙シートとともに排出トレイＴへ排出される。
【００４４】
紙シート供給部１２についてさらに説明する。
図２はシート収納トレイ１２０の断面の概略を示す図であり、図３はシート収納トレイ１２０の平面図である。
紙シート供給部１２は、この例では、プリンタ本体側に設けられた給紙機構１２Ａを含んでおり、この給紙機構１２Ａに臨むトレイ受け入れ部にシート収納トレイ１２０を取り出し可能に装着して紙シートを供給するものである。
【００４５】
制御部Ｃ（図３参照）はピックアップローラ１２３、給紙ローラ１２１及び捌きローラ１２２を含んでいる。給紙ローラ１２１はその回転軸１２１ｓで図示省略の給紙ローラ支持部材に支持され、制御部Ｃの指示のもとに紙シートを引き出し供給すべきタイミングでモータＭにてシート引き出し、供給方向に回転駆動される。ピックアップローラ１２３は伝動機構１２Ｂにて給紙ローラ１２１の回転に連動して同方向に回転する。
【００４６】
シート収納トレイ１２０は、紙シート引き出し方向αに直角な方向βおける紙シート側端の位置を決める一対の側端位置決め部材１２４と紙シート後端位置を決める後端位置きめ部材１２８を有している。
シート収納トレイ１２０はさらに各側端位置決め部材１２４に対して紙粉除去装置２を有している。これについては後ほど詳述する。
【００４７】
一対の側端位置決め部材１２４のそれぞれは底板１３０上に配置され、レール１２７に沿って接近、離隔可能である。これら両部材１２４は底板１３０の下方に配置されたラック（１２６）・ピニオン（１２５）機構にて互いに接近、離隔可能に連動して、位置調整できる。後端位置決め部材１２８はレール１２９に沿って位置調整できる。
【００４８】
紙シートＳは、底板１３０上に積載収容される。このとき、従来のシート収容トレイに見られるように底板１３０がバネＳｐに抗して押し下げられ、その状態に保たれる。
紙シートＳは一対の側端位置決め部材１２４及び後端位置きめ部材１２７を用いてトレイ１２０での両側端位置と後端位置が決められる。
【００４９】
このように予め紙シートＳが積載収納されたシート収納トレイ１２０がプリンタ本体に装着されると、前記底板部材１３０が従来のシート収納トレイに見られるようにバネＳｐで下方から持ち上げられる一方、ピックアップローラ１２３が図示省略のスプリングの作用で下りてきて紙シートＳに接触する。
【００５０】
この状態で制御部Ｃの指示のもとに画像形成のための所定のタイミングで給紙ローラ１２１及びピックアップローラ１２３が回転駆動されることで、最上部の紙シートからピックアップローラ１２３により拾われ、給紙ローラ１２１の方へ送られる。
【００５１】
給紙ローラ１２１は、ピックアップローラ１２３により拾われ送られてくる、通常複数枚が重なった状態の紙シートを捌きローラ１２２との間で捌きつつ１枚ずつ供給する。捌きローラ１２２はプリンタ本体側の図示省略のフレームに回転可能に支持されている。
ここでは捌き部材として給紙ローラとは反対方向に回転駆動される、表面層が摩擦部材で形成された捌きローラが採用されているが、給紙ローラに臨む板状の捌き板等でもよい。
【００５２】
各側端位置決め部材１２４について設けられている紙粉除去装置２は回転ブラシ２１と回転ブラシ２１を回転させるブラシ駆動部を含んでいる。回転ブラシ２１はトレイ１２０に積載収容される紙シートＳの側端面Ｓａを該側端面に接触して擦るための、側端位置決め部材１２４に回転可能に搭載された回転ブラシである。図４に示すように、回転ブラシ２１の回転軸２１１は紙シート引き出し方向αを上下に垂直に横切る方向に延びている。  ここでは、回転ブラシ２１のブラシ毛２１０は側端位置決め部材１２４に形成した窓部１２４１からシート側端面Ｓａに接触できるようになっている。また、側端位置決め部材１２４には回転ブラシ２１の下方に紙粉受け容器２２が設けられている。
【００５３】
ブラシ駆動部は、少なくとも紙シートＳが引き出されている間、回転ブラシ２１を回転させるものである。ブラシ駆動部は回転ブラシ２１を伝動機構Ｔｒを介して回転させるモータｍとその制御部からなっている。ここでは、前記給紙ローラ１２１等の駆動モータＭの制御部Ｃがモータｍの制御部も兼ねている（図４参照）。
【００５４】
制御部Ｃは、少なくとも給紙機構１２Ａによるトレイ１２０からの紙シート引き出しに呼応して、紙シートＳが引き出されている間中、モータｍで回転ブラシ２１を回転させる。
【００５５】
図５に示すように、制御部Ｃは回転ブラシ２１を、紙シート引き出しの支障にならないように、紙シート側端面Ｓａとの接触部位で回転ブラシのブラシ毛２１０の移動方向と紙シート引き出し方向αが同じになるように、かつ、紙シート側端面Ｓａの紙粉を除去するためにブラシ２１０の移動速度Ｖ１を紙シート引き出し速度Ｖより大きくして、回転ブラシ２１を回転させる。
【００５６】
以上説明したシート収納トレイ１２０は、紙シートＳを積載収容して最上部のものから予め定めた方向へ引き出し、画像形成に供することができる。
積載収容される紙シートＳはその両側端の位置が、正規のシート引き出し経路に沿った円滑な紙シート引き出しのために、側端位置決め部材１２４により決めされることができる。
【００５７】
各側端位置決め部材１２４に対して設けられた紙粉除去装置２の回転ブラシ２１が側端位置決め部材１２４にて位置決めされた紙シートＳ群の側端面Ｓａに接触配置され、少なくとも紙シートＳが引き出されている間中回転ブラシ２１が回される。
【００５８】
このように回転ブラシ２１が紙シートＳの引き出しに呼応して回転することで、引き出されつつある紙シートＳの側端面Ｓａがシート引き出し方向αの全長にわたり回転ブラシ２１で擦られ、かくして簡単、確実に紙シート側端面Ｓａの紙粉を回転ブラシ２１で除去し、容器２２に受けることができる。
【００５９】
この紙シート側端面Ｓａの紙粉除去にあたり、シート振動手段で紙シートを振動させたり、空気吹き付け手段で紙シートに空気を吹き付けたりする必要はないので、シート収納トレイ、或いはその周辺を含めた部分を大型化や、コスト高にしなくて済む。
【００６０】
また、紙シート側端面Ｓａの紙粉除去にあたり、紙粉除去が終了するまで紙シートＳの引き出し開始を待たなければならないというわけではないので、紙粉除去のためにトレイ１２０の使い勝手が悪くなることはない。
【００６１】
プリンタ１０は、シート収納トレイ１２０を採用しているので、シート収納トレイ１２０に積載収容される紙シートＳの側端面Ｓａの紙粉を簡単、確実に除去でき、それにより紙粉に起因するシートサイズメモリ等の画像ノイズが抑制された画像を形成することができる。
【００６２】
図４、図５の例では回転ブラシ２１の回転軸２１１の方向、換言すれば、回転ブラシの回転軸の回転中心線の方向は紙シート引き出し方向αを上下垂直方向に横切る方向であり、回転ブラシ２１のブラシ毛２１０は、回転軸２１１に複数段に配列されており、かつ、各段のブラシ毛が回転軸の回転中心と同心の円板様に配列されているようなものであった。
【００６３】
しかし、図６に示すように、回転ブラシ２１のブラシ毛２１０それ自体は図４に示すものと同じままとして、しかし、紙シート側端面の紙粉をより確実に除去するために、回転軸２１１を積載収容されるシートＳの側端に上下垂直な方向に対して角度θ１で傾斜するように配置して、回転ブラシ２１のブラシ毛２１０が積載収容されるシートＳの側端面Ｓａを紙シート引き出し方向αを上下に斜めに横切る方向に擦るようにしてもよい。
【００６４】
また、別法として、図７に示すように、回転ブラシ２１の回転軸２１１の方向、換言すれば、回転ブラシの回転軸の回転中心線の方向は紙シート引き出し方向αを上下垂直に横切る方向として、しかし、ブラシ毛２１０をそれがシート側端面Ｓａを紙シート引き出し方向を上下に斜めに横切る方向に擦るように回転軸２１１に対して傾斜角度θ２で螺旋状に配列してもよい。
【００６５】
また、引き出されようとする紙シートＳの側端面Ｓａの紙粉をより確実に除去するために、図８に示すように、回転ブラシの回転軸２１１は、回転ブラシのブラシ毛２１０の積載収容される紙シートＳ群への食い込み量が回転ブラシ下部から上部へ向かうにつれ増すように傾斜配置してもよい。
【００６６】
以上説明した回転ブラシ２１の各種タイプは支障の無い範囲で組み合わせ採用してもよい。
【産業上の利用可能性】
【００６７】
本発明は紙シートを積載収容して最上部の紙シートから予め定めた方向へ引き出し、供給するためのシート収納トレイであって、積載収容される紙シートの側端面の紙粉を、紙粉除去のために紙シート引き出し開始を遅らせる必要なく、簡単、確実、安価に除去できるシート収納トレイ及びそれを利用した、紙粉によるシートサイズメモリ等の画像ノイズが抑制された画像を形成することができる画像形成装置を提供することに利用できる。
【符号の説明】
【００６８】
１０      プリンタ
１１      画像形成部
１２      紙シート供給部
１３      画像形成パス
１３１    レジストローラ
１１３    定着装置
Ｔ        排出トレイ
１２  紙シート供給部
１２Ａ    給紙機構
１２１  給紙ローラ
Ｍ  モータ
１２２  捌きローラ
１２３  ピックアップローラ
１２０  シート収納トレイ
Ｓ  紙シート
Ｓａ  シート側端面
α  紙シート引き出し方向
β  紙シート幅方向
１２４  側端位置決め部材
１２４１  窓部
１３０  底板
Ｓｐ  バネ
１２５  ピニオン
１２６  ラック
１２７  後端位置きめ部材
Ｃ  制御部
２  紙粉除去装置
２１  回転ブラシ
２１０  ブラシ毛
２１１  回転軸
ｍ  モータ
Ｔｒ  伝動機構
【図１】
2012224407.tif 000003
【図２】
2012224407.tif 000004
【図３】
2012224407.tif 000005
【図４】
2012224407.tif 000006
【図５】
2012224407.tif 000007
【図６】
2012224407.tif 000008
【図７】
2012224407.tif 000009
【図８】
2012224407.tif 000010